(57)【特許請求の範囲】
【請求項１】
車体の内部を複数の仕切り壁で仕切ることによりマットレスを収納するマットレス収納庫を車体に複数設けると共に車体の側壁と端壁及び仕切り壁に殺菌手段を配置することにより各マットレス収納庫にマットレスを殺菌する殺菌手段を設け、複数のマットレス収納庫の殺菌手段に選択的に電源供給する電源供給選択機構を具備し、車体に車体を走行自在にする車輪を設けて成ることを特徴とするマットレス殺菌装置。
【請求項２】
マットレスを殺菌する殺菌手段が加熱手段であることを特徴とする請求項１に記載のマットレス殺菌装置。
【請求項３】
加熱手段が、マットレス収納庫の壁面に設けられたヒーターであることを特徴とする請求項２に記載のマットレス殺菌装置。
【請求項４】
マットレス収納庫のヒーターを配設した壁面に遠赤外線発生塗料を塗布して成ることを特徴とする請求項２又は３に記載のマットレス殺菌装置。
【請求項５】
マットレス収納庫内の臭気をオゾンで脱臭するオゾン発生装置を備えて成ることを特徴とする請求項１乃至４のいずれかに記載のマットレス殺菌装置。
【請求項６】
マットレス収納庫を開閉する扉にヒーターを設けて成ることを特徴とする請求項３乃至５のいずれかに記載のマットレス殺菌装置。
【請求項７】
マットレス収納庫の下部内に集塵パンを引き出し自在に配設して成ることを特徴とする請求項１乃至６のいずれかに記載のマットレス殺菌装置。
【請求項８】
電源スイッチとして、第三者が操作できないロック機構付のスイッチを設けて成ることを特徴とする請求項１乃至７のいずれかに記載のマットレス殺菌装置。
【請求項９】
ヒーターの断線を検知する電流検知機構を具備して成ることを特徴とする請求項３乃至８のいずれかに記載のマットレス殺菌装置。
【請求項１０】
マットレス収納庫の加熱時間の表示を行なう加熱時間表示器を具備して成ることを特徴とする請求項２乃至９のいずれかに記載のマットレス殺菌装置。
【請求項１１】
車輪を駆動するモータを具備して成ることを特徴とする請求項１乃至１０のいずれかに記載のマットレス殺菌装置。
【発明の詳細な説明】
【０００１】
【発明の属する技術分野】
本発明は、病院などで使用されるベッドのマットレスを殺菌するマットレス殺菌装置に関するものである。
【０００２】
【従来の技術】
病院などにおいては、ベッドのマットレスは細菌やダニなどの温床となるおそれがあるので、頻繁に殺菌する必要がある。そこでこのようなマットレスを殺菌する装置として、従来から特開昭６１−１５３４８５号公報、特開昭６４−４３２５６号公報、特開平６−３２７７４８号公報などで提供されているものがある。
【０００３】
【発明が解決しようとする課題】
しかしこれらのマットレス殺菌装置で病室のベッドのマットレスを殺菌するにあたっては、各病室からマットレスをマットレス殺菌装置が設置された場所まで運搬し、殺菌が終了した後、マットレスを各病室に戻すための運搬を行なう必要があり、マットレスの運搬に多大の労力を必要とする問題があった。またマットレスをこのように運搬する間に、マットレスに付着する細菌やダニを飛散させてしまうおそれがあるという問題もあった。
【０００４】
本発明は上記の点に鑑みてなされたものであり、マットレスを運搬する必要なく、しかも一度に複数枚のマットレスを殺菌することができるマットレス殺菌装置を提供することを目的とするものである。
【０００５】
【課題を解決するための手段】
本発明の請求項１に係るマットレス殺菌装置は、車体３の内部を複数の仕切り壁１８で仕切ることによりマットレス１を収納するマットレス収納庫２を車体３に複数設けると共に車体３の側壁１９と端壁２０及び仕切り壁１８に殺菌手段を配置することにより各マットレス収納庫２にマットレス１を殺菌する殺菌手段を設け、複数のマットレス収納庫２の殺菌手段に選択的に電源供給する電源供給選択機構を具備し、車体３に車体３を走行自在にする車輪４を設けて成ることを特徴とするものである。
【０００６】
また請求項２の発明は、請求項１において、マットレス１を殺菌する殺菌手段が加熱手段であることを特徴とするものである。
【０００７】
また請求項３の発明は、請求項２において、加熱手段が、マットレス収納庫２の壁面に設けられたヒーター５であることを特徴とするものである。
【０００８】
また請求項４の発明は、請求項３において、マットレス収納庫２のヒーター５を配設した壁面に遠赤外線発生塗料を塗布して成ることを特徴とするものである。
【０００９】
また請求項５の発明は、請求項１乃至４のいずれかにおいて、マットレス収納庫２内の臭気をオゾンで脱臭するオゾン発生装置７を備えて成ることを特徴とするものである。
【００１０】
また請求項６の発明は、請求項３乃至５のいずれかにおいて、マットレス収納庫２を開閉する扉８にヒーター５を設けて成ることを特徴とするものである。
【００１１】
また請求項７の発明は、請求項１乃至６のいずれかにおいて、マットレス収納庫２の下部内に集塵パン９を引き出し自在に配設して成ることを特徴とするものである。
【００１２】
また請求項８の発明は、請求項１乃至７のいずれかにおいて、電源スイッチ１０として、第三者が操作できないロック機構付のスイッチを設けて成ることを特徴とするものである。
【００１３】
また請求項９の発明は、請求項３乃至８のいずれかにおいて、ヒーター５の断線を検知する電流検知機構を具備して成ることを特徴とするものである。
【００１４】
また請求項１０の発明は、請求項２乃至９のいずれかにおいて、マットレス収納庫２の加熱時間の表示を行なう加熱時間表示器１１を具備して成ることを特徴とするものである。
【００１６】
また請求項１１の発明は、請求項１乃至１０のいずれかにおいて、車輪４を駆動するモータを具備して成ることを特徴とするものである。
【００１７】
【発明の実施の形態】
以下、本発明の実施の形態を説明する。
【００１８】
図１は本発明に係るマットレス殺菌装置を示すものであり、車体３の下部の台車１６の下面に車輪４を設けて走行自在に形成してある。車輪４は駆動車輪４ａと従動車輪４ｂからなるものであり、車体３の下部に設けたモータによって駆動車輪４ａを回転駆動させることによって、車体３を自走させることができるようにしてある。
【００１９】
車体３は前後方向に長い直方体形状の外形に形成してあり、その前面は開口部１７として開口させてある。この開口部１７には水平回動される一対の扉８が取り付けてあり、扉８によって開口部１７を開閉できるようにしてある。そして図２に示すように、車体３の内部は複数の仕切り壁１８で幅方向に仕切ってあり、隣り合う仕切り壁１８の間や仕切り壁１８と車体３の左右の側壁１９の間において、車体３の幅方向に並列される複数のマットレス収納庫２が形成してある。各マットレス収納庫２の前端はこの開口部１７において開口されていると共に、後端は車体３の端壁２０で閉塞されているものであり、マットレス１を立てて入れることができるように縦長に形成してある。
【００２０】
各マットレス収納庫２には、収納したマットレス１を殺菌する殺菌手段が設けてある。この殺菌手段としては任意の手段を採用することができるものであり、例えば加熱手段を殺菌手段として用いることができる。殺菌手段として加熱手段を用いる場合、例えば電気の通電で発熱する電気ヒーター５で加熱手段を形成することができる。このヒーター５としては、パネルの全面を発熱面として形成したパネルヒーターを用いることができるものであり、図２に示すように、各マットレス収納庫２の内壁面において仕切り壁１８や側壁１９にヒーター５を配置して取り付けてある。ヒーター５は端壁２０においてもマットレス収納庫２の内壁面に対応する箇所に配置してある。また、各マットレス収納庫２の前面開口となる開口部１７を開閉する一対の各扉８にも、その背面にヒーター５を配置して取り付けてある。尚、ヒーター５は上記のようにマットレス収納庫２内に露出するように配置する他に、仕切り壁１８、側壁１９、端壁２０、扉８の内部にヒーター５を配置してマットレス収納庫２内に露出しないようにしてもよい。
【００２１】
各マットレス収納庫２の下部内には多数のコロ２１が取り付けてあり、このコロ２１の下側においてマットレス収納庫２の底部に上面が開口する集塵パン９が配してある。コロ２１はマットレス収納庫２の入口から奥に至るまで所定間隙を介して配列すると共に両端の軸をマットレス収納庫２の内壁に枢着することによって回転自在にしてあり、コロコンベアが形成されるようにしてある。また集塵パン９はマットレス収納庫２の入口から奥に至る細長い形状に形成してあり、開口部１７を通してマットレス収納庫２から引き出すことができるようにしてある。
【００２２】
また、車体３の天井壁２３の裏側にはオゾン発生装置７が配設してあり、オゾン発生装置７は図３のように吸気路２４と排気路２５によって各マットレス収納庫２に接続してある。オゾン発生装置７内には吸気ファン２６が設けてあり、マットレス収納庫２内の空気を吸気路２４から吸い込んだ後に排気路２５からマットレス収納庫２に戻すようにして、マットレス収納庫２とオゾン発生装置７の間で循環させるようにしてある。
【００２３】
上記のように形成されるマットレス殺菌装置にあって、モータによって車輪４の駆動車輪４ａを回転駆動させることによって車体３を自走させることができるものであり、例えば病院内で使用するにあたって、病室の近くまで車体３を自走させて移動させた状態で、病室に設置されたベッドのマットレス１の殺菌を行なうことができるものである。従って、マットレス１を病室から遠くへ運搬するような必要がなくなり、マットレス１の運搬に多大の労力を必要とすることがなくなると共に、マットレス１をこのように運搬する間に、マットレス１に付着する細菌やダニを飛散させてしまうようなこともなくなるものである。ここで車体３の車輪４を駆動するモータとしてＤＣサーボモータを用い、車体３に設けたハンドル（図示省略）等の操作部に加えられた外力を検出して推進方向と操舵方向の各外力を検知すると共に、各方向の外力に応じた補助力をＤＣサーボモータから車輪４に出力させるようにした制御手段を設けることによって、特開平８−２８２４９８号公報や特開平９−１０９８９２号公報に開示されるようないわゆるパワーアシストで、車体３を微妙な運転操作で容易に走行させることができるものである。
【００２４】
図４は車体の前面の上部に設けられた操作パネル２８を示すものであり、電源スイッチ１０をオンにすることによって、ヒーター５やオゾン発生装置７などへの電源供給が可能になるようにしてある。そしてこの電源スイッチ１０は、キー（鍵）を鍵穴２９に差し込んでロックを外した状態で、回動筒部３６を回してオン・オフ操作することが可能になるロック機構付のスイッチで形成してあり、キーを持っていない第三者は電源スイッチ１０をオン・オフ操作することができないようにしてある。従って、病院など公衆が出入りする場所においていたずらをされるような危険を予め防ぐことができるものである。キーは鍵穴２９の向きが「切」、「入」のいずれを向いているときにも抜くことができるようにしてあり、鍵穴２９が「入」に向くように回すことによって、電源をオンにして運転を開始した後に、キーを鍵穴２９から抜いておくことによって、第三者が電源を切断するいたずらなどを防ぐことができるようにしてある。また扉８が開いているときには電源がオフになる安全機構が設けてあり、扉８が開いているときには操作パネル２８の扉開ランプ３４が点灯するようにしてある。
【００２５】
そして車体３を病室の近くに移動させた後、扉８を開いて各マットレス収納庫２にマットレス１を一枚ずつ、縦にして入れて収納する。マットレス１はその下端がコロ２１の上に乗っており、コロ２１上をスムーズに移動させて軽い力で出し入れができるようになっている。また車体３には複数のマットレス収納庫２が設けてあるので、病室に複数台のベッドが設置されているときに、複数台のベッドのマットレス１を各マットレス収納庫２に収納して、同時に一室分の複数枚のマットレス１の殺菌を行なうことができるものである。
【００２６】
次に、扉８を閉じた後、操作パネル２８の運転スイッチ３０を押してオンさせ、ヒーター５に通電して発熱させる。ここで、上記のように複数の各マットレス収納庫２にそれぞれヒーター５が設けてあり、これらのヒーター５は各マットレス収納庫２毎に並列に分岐して配線してある。そして操作パネル２８の運転選択スイッチ３１によってヒーター５に電源供給するマットレス収納庫２を選択することができるように電源供給機構が設けてある。例えば、４つあるマットレス収納庫２のうち、第１のマットレス収納庫２と第２のマットレス収納庫２のみを使用してマットレス１の殺菌を行なう場合には、運転選択スイッチ３１のうち「１」のスイッチ３１ａと「２」のスイッチ３１ｂを押して、第１のマットレス収納庫２と第２のマットレス収納庫２を選択した後、運転スイッチ３０を押すと、第１のマットレス収納庫２のヒーター５と第２のマットレス収納庫２のヒーター５のみに電源供給されて通電され、第１のマットレス収納庫２のヒーター５と第２のマットレス収納庫２のヒーター５のみが発熱するようになっている。
【００２７】
このように、運転スイッチ３０をオンにしてマットレス収納庫２のヒーター５を発熱させることによって、ヒーター５からの輻射熱でマットレス１を加熱し、マットレス１の殺菌を行なうことができるものである。マットレス１を加熱殺菌するにあたって、マットレス収納庫２に熱風を循環させて行なうことも可能であるが、熱風を循環させる場合にはそのための大きなスペースが必要になって、車体３を大きくせざるを得ないが、このようにヒーター５による輻射熱で加熱殺菌をするようにすれば、大きなスペースが不要になって車体３をコンパクトに形成することが可能になるものである。
【００２８】
ここで、マットレス収納庫２の壁面（ヒーター５がマットレス収納庫２の壁面の一部を構成するときにはヒーター５の表面）に、加熱されることによって遠赤外線を発生する遠赤外線発生塗料が塗装してあり、ヒーター５による加熱によって遠赤外線発生塗料から発生する遠赤外線で、マットレス１の内部まで短時間で昇温させて、マットレス１を内部まで加熱殺菌することができるようにしてある。遠赤外線発生塗料としては、例えば、加熱されることによって遠赤外線を発生するセラミックスの粉末を混合した塗料を用いることができる。
【００２９】
ヒーター５がこのようにオンされて加熱殺菌を開始すると、加熱時間が操作パネル２８の加熱時間表示器１１に表示され、加熱終了までの時間が一目で確認できるようにしてある。すなわち、加熱時間表示器１１は加熱の残り時間を表示するＬＥＤなどの複数のランプ１１ａ，１１ｂ，…から形成してある。そして、制御回路にはタイマーが設けてあり、運転スイッチ３０をオンにすると、ヒーター５がオンになると共にランプ１１ａ，１１ｂ，…の総てが点灯し、また同時にタイマーが作動して所定の設定時間からの減算を開始し、残り時間に応じてランプ１１ａ，１１ｂ，…が順に消灯するようにしてある。またこのように運転スイッチ３０がオンされると、扉８の電磁ロックが入って扉８を開くことができないようになっている。この電磁ロックは電源スイッチ１０を切ることによって自動解除される。尚、運転選択スイッチ３１や運転スイッチ３０はオン操作のみができ、オフ操作はできないようにしてあり、またマットレス収納庫２内の昇温温度、ヒーター５のオン時間は、制御回路の温度コントローラーやタイマーで自動制御されるようにして、設定変更ができないようにしてあり、誤使用やいたずらによる操作で、殺菌処理不足になるようなことがないようにしてある。
【００３０】
ここで、車体３には多数枚のヒーター５が設けてあり、ヒーター５の一枚当りの容量は小さいので、ヒーター５が一枚断線しても気付かないことが多く、この場合には十分な殺菌ができない状態でマットレス１を殺菌処理してしまうおそれがある。そこで、ヒーター５に通電される電流検知を行なって断線を検出する電流検知機構が制御回路に設けてあり、ヒーター５の断線が検知されると、操作パネル２８のヒーター断線ランプ３２が点灯し、ヒーター５の断線を報知するようにしてある。
【００３１】
また、上記のように運転スイッチ３０をオンすると、オゾン発生装置７が作動を開始し、オゾンが生成されると共に吸気ファン２６が作動するようになっている。マットレス１をマットレス収納庫２で殺菌するために加熱すると、マットレス１から異臭が発生するが、マットレス収納庫２内の空気を吸気路２４からオゾン発生装置７に吸引することによって、異臭をオゾンで酸化脱臭することができるものであり、この脱臭した空気を排気路２５からマットレス収納庫２に戻すよことによって、マットレス収納庫２内を異臭のない状態に保持することができるものである。
【００３２】
そしてタイマーの計時による残り時間が零になると、加熱時間表示器１１の終了ランプ１１ｅが点灯し、ヒーター５への電源供給が停止されると共にオゾン発生装置７の作動が停止し、また扉８の電磁ロックが解除される。従って、扉８を開いて、マットレス収納庫２内の殺菌を終了したマットレス１を開口部１７を通して取り出すことができる。ここで、殺菌によって死滅したダニ等の害虫の死骸や、マットレス１から出たゴミなどは、コロ２１の間を通って集塵パン９で受けられており、集塵パン９をマットレス収納庫２から引き出すことによって、回収することができるものであり、マットレス収納庫２を常に清浄に保つことができるようにしてある。
【００３３】
【発明の効果】
上記のように本発明の請求項１に係るマットレス殺菌装置は、車体の内部を複数の仕切り壁で仕切ることによりマットレスを収納するマットレス収納庫を車体に複数設けると共に車体の側壁と端壁及び仕切り壁に殺菌手段を配置することにより各マットレス収納庫にマットレスを殺菌する殺菌手段を設け、車体に車体を走行自在にする車輪を設けたものであるので、車体を走行させて病室などベッドを設置した場所の近くまで移動させた状態で、マットレスの殺菌を行なうことができ、マットレスをベッドから遠くへ運搬するような必要がなくなるものであり、しかも複数のマットレス収納庫で一度に複数枚のマットレスを殺菌することができるものである。また、複数のマットレス収納庫の殺菌手段に選択的に電源供給する電源供給選択機構を具備するので、殺菌に使用するマットレス収納庫にのみ電源供給することができ、無駄な電力消費をなくして省電力化することができるものである。
【００３４】
また請求項２の発明は、マットレスを殺菌する殺菌手段が加熱手段であることを特徴とするものであり、加熱によってマットレスに付着する細菌やダニなどを確実に死滅させることができるものである。
【００３５】
また請求項３の発明は、加熱手段が、マットレス収納庫の壁面に設けられたヒーターであることを特徴とするものであり、ヒーターからの輻射熱で殺菌を行なうことができ、車体をコンパクトに形成することが可能になるものである。
【００３６】
また請求項４の発明は、マットレス収納庫のヒーターを配設した壁面に遠赤外線発生塗料を塗布したので、ヒーターで加熱された遠赤外線発生塗料から発生する遠赤外線で、マットレスを内部の芯まで迅速に加熱して殺菌することができるものである。
【００３７】
また請求項５の発明は、マットレス収納庫内の臭気をオゾンで脱臭するオゾン発生装置を備えるので、マットレスを殺菌する際に発生する臭気を脱臭して、臭気が周囲に漏れて不快感を与えることを防ぐことができるものである。
【００３８】
また請求項６の発明は、マットレス収納庫を開閉する扉にヒーターを設けたので、マットレス収納庫内を扉の側からも加熱することができ、加熱殺菌を効率高く行なうことができるものである。
【００３９】
また請求項７の発明は、マットレス収納庫の下部内に集塵パンを引き出し自在に配設してあるので、殺菌によって死滅したダニ等の害虫の死骸や、マットレスから出たゴミなどを集塵パンで受けることができると共に、集塵パンをマットレス収納庫から引き出すことによって回収することができるものであり、マットレス収納庫を清浄に保つことができるものである。
【００４０】
また請求項８の発明は、電源スイッチとして、第三者が操作できないロック機構付のスイッチを設けてあるので、第三者のいたずらなどを防ぐことができ、殺菌処理が不充分になったり事故が起こったりすることを未然に防止することができるものである。
【００４１】
また請求項９の発明は、ヒーターの断線を検知する電流検知機構を具備するので、ヒーターが断線しても気付かないまま、不十分な殺菌処理をしてしまうことがなくなるものである。
【００４２】
また請求項１０の発明は、マットレス収納庫の加熱時間の表示を行なう加熱時間表示器を具備するので、マットレスの殺菌を終了するまでの時間を知ることができ、作業効率を高めることができるものである。
【００４４】
また請求項１１の発明は、車輪を駆動するモータを具備するので、車輪をモータで駆動させることによって車体を自走させることができ、車体を走行させて移動させることが容易になるものである。
【図面の簡単な説明】
【図１】本発明の実施の形態の一例を示すものであり、（ａ），（ｂ）はそれぞれ斜視図である。
【図２】同上の車体を示すものであり、（ａ）は正面図、（ｂ）は平面断面図である。
【図３】同上の車体を示す側面断面図である。
【図４】同上の操作パネルを示す正面図である。
【符号の説明】
１  マットレス
２  マットレス収納庫
３  車体
４  車輪
５  ヒーター
７  オゾン発生装置
８  扉
９  集塵パン
１０  電源スイッチ
１１  加熱時間表示器
１８  仕切り壁
１９  側壁
２０  端壁
【図１】
0003633468.tif 000002
【図２】
0003633468.tif 000003
【図３】
0003633468.tif 000004
【図４】
0003633468.tif 000005